(57)【要約】【課題】上レールの取り付け時のねじ穴加工・ねじ止め作業に要するコストを大幅に低減できると共に、ねじ止めが容易でしかも上レールに傷が付くのを防いで外観を良好に保つこと。【解決手段】上レール副体５１に、他方の直進用ローラー走行片９ｂと、上下方向Ｎに開放された躯体取付部７４と、躯体取付部７４から上レール本体５０側に向かって突出する上方突出片７６とを設け、上レール本体５０に、上方突出片７６の先端を受ける受け部７７を設け、上レール副体５１の上方突出片７６の先端で上レール本体５０の受け部７７を下方から受け止めた状態で上レール副体５１の躯体取付部７４を取付ねじ７８で躯体７３にねじ止めした引戸装置である。【選択図】図１
2007315108.tif 000002
【特許請求の範囲】
【請求項１】
複数枚の引戸が面一に一列に並ぶように閉じたり、前後に重なるように開くことができる引戸装置であって、各引戸の上部に一対のローラーからなる上ランナーが設けられ、躯体側に上ランナーを走行自在に支持する上レールが取り付けられ、上レールは、上レールのレール長手方向に沿って直線状に延びる一方の直進用ローラー走行片が形成された上レール本体と、上レール本体の下面側に配置される上レール副体とからなり、上レール副体には、前記一方の直進用ローラー走行片とレール溝を挟んで平行に延びる他方の直進用ローラー走行片と、他方の直進用ローラー走行片の一部から分岐した分岐レール部とが形成され、一方の直進用ローラー走行片と他方の直進用ローラー走行片とで直進レール部が構成され、上ランナーが直進レール部に沿って走行することで引戸が直進移動できるようになり、上ランナーが分岐レール部に進入することで引戸が前後に曲進移動できるようになっており、前記上レール副体には、他方の直進用ローラー走行片を挟んで一方の直進用ローラー走行片とは反対側の位置で上下方向に開放された躯体取付部と、躯体取付部から上レール本体側に向かって突出する上方突出片とが設けられ、前記上レール本体には上方突出片の先端を受ける受け部が設けられ、上レール副体の上方突出片の先端で上レール本体の受け部を下方から受け止めた状態で上レール副体の躯体取付部を取付ねじで躯体にねじ止めしてなることを特徴とする引戸装置。
【請求項２】
前記直進レール部と分岐レール部との分岐位置に、上ランナーに付設した補助ローラーを直進レール部又は分岐レール部のいずれか一方にガイドするためのガイド部材を配置すると共に、このガイド部材を上レール副体に一体に取り付けてなることを特徴とする請求項１記載の引戸装置。
【請求項３】
前記上レール副体の底面の一部に躯体側に向かって凹んだ凹部を設け、この凹部に躯体取付部を設けたことを特徴とする請求項１又は請求項２のいずれか一項に記載の引戸装置。
【請求項４】
前記上レール副体の上方突出片を前後方向に間隔をあけて複数設けると共に隣り合う上方突出片の間に上下方向に開放された躯体取付部を配設し、上レール本体に複数の上方突出片を個別に受けるための複数の受け部を設け、躯体取付部側から挿入される取付ねじを隣り合う２つの上方突出片の間を通して躯体にねじ込むようにしたことを特徴とする請求項１又は請求項２又は請求項３のいずれか一項に記載の引戸装置。
【発明の詳細な説明】
【技術分野】
【０００１】
本発明は、複数枚の引戸が面一に一列に並ぶように閉じたり、前後に重なるように開くことができる引戸装置に関するものである。
【背景技術】
【０００２】
従来から、３枚引戸の場合、各引戸が各々平行に直進移動して閉状態と右開き状態又は左開き状態となる引き違い式の引戸装置が知られている。
【０００３】
ところが、この従来例では、閉状態では手前側から後方にかけて各引戸が段差状となるため、外観上の見栄えが悪いだけでなく、各引戸ごとに上レールのレール長手方向と直交する前後方向に３本のレール部を並設する必要があり、このため上レールの全体の見込み寸法（奥行き）を大きくとる必要が生じるなど、施工自由度が小さいという制約もあった。
【０００４】
そこで、本出願人は、全閉状態で３枚の引戸が一列に段差無く面一に連続して並んで連続した壁のような外観を呈することができる引戸装置を既に開示している（例えば、特許文献１参照）。この特許文献１に開示された上吊り式の引戸装置にあっては、躯体側に引戸の上ランナーを走行自在に支持する上レールが取り付けられる。この上レール５は、図２７に示すように、直線状に延びる一方の直進用ローラー走行片９ａ，１０ａが形成された上レール本体５０と、上レール本体５０の下面側に配置される上レール副体５１とに分割されている。上レール副体５１には、前記一方の直進用ローラー走行片９ａ，１０ａとレール溝を挟んで平行に延びる他方の直進用ローラー走行片９ｂ，１０ｂと、他方の直進用ローラー走行片９ｂ，１０ｂの一部から分岐した分岐レール部１１〜１３とを備えている。一方の直進用ローラー走行片９ａ（１０ａ）と他方の直進用ローラー走行片９ｂ（１０ｂ）とで直進レール部９（１０）が構成されており、上ランナーが直進レール部９（１０）に沿って走行することで引戸１が直進移動できるようになり、また上ランナー２１〜２３が分岐レール部１１〜１３に進入することで引戸１が前後に曲進移動できるようになっている。
【０００５】
ところで、前記特許文献１に見られる従来の引戸装置では、上レール本体５０は押出成形で一体成形できるが、上レール副体５１は分岐レール部１１〜１３を備えるため押出成形では形成できないため、上レール本体５０と上レール副体５１とは別部材で構成されている。そして、上レール５を躯体７３に取り付けるにあたっては、図２８に示すように、先ず、上レール本体５０の中央上方部８２と上レール副体５１の中央上方部５１ｃとを組立ねじ７９で締結して上レール５を組み立て、その後、レール溝７２から取付ねじ７８を挿入して、上レール本体５０の上面部分を躯体７３にねじ止めするようにしている。
【０００６】
しかしながら、従来のように、上レール副体５１と上レール本体５０とを組立ねじ７９で組み立て、さらに取付ねじ７８で躯体７３にねじ止めする施工方式では、ねじの数及びねじ止め箇所が増加し、そのうえ上レール副体５１と上レール本体５０とを組立ねじ７９で締結するためには、上レール副体５１と上レール本体５０との中央上方部５１ｃ，８２の同心位置にねじ穴加工を施す必要があり、コスト高を招くという問題がある。しかも、現場での取り付け時に、取付ねじ７８を幅の狭いレール溝７２から挿入して奥の方で上レール本体５０の上方部と躯体７３とをねじ止めしなければならないため、ねじ止め作業に困難を伴うものであり、そのうえねじ止め作業時に取付ねじ７８や工具によってレール溝７２の周辺部分に傷が付くおそれがあり、外観が損なわれるという問題もある。
【特許文献１】特開２００５−３３０７９４号公報
【発明の開示】
【発明が解決しようとする課題】
【０００７】
本発明は前記の従来の問題点に鑑みて発明したものであって、上レール本体と上レール副体からなる上レールの取り付け時のねじ穴加工・ねじ止め作業に要するコストを大幅に低減できると共に、ねじ止めが容易でしかも上レールに傷が付くのを防いで外観を良好に保てるようにした引戸装置を提供することを課題とするものである。
【課題を解決するための手段】
【０００８】
前記課題を解決するために本発明は、複数枚の引戸１が面一に一列に並ぶように閉じたり、前後に重なるように開くことができる引戸装置であって、各引戸１の上部に一対のローラー３４からなる上ランナー２１〜２３が設けられ、躯体７３側に上ランナー２１〜２３を走行自在に支持する上レール５が取り付けられ、上レール５は、そのレール長手方向に沿って直線状に延びる一方の直進用ローラー走行片９ａが形成された上レール本体５０と、上レール本体５０の下面側に配置される上レール副体５１とからなり、上レール副体５１には、前記一方の直進用ローラー走行片９ａとレール溝７２を挟んで平行に延びる他方の直進用ローラー走行片９ｂと、他方の直進用ローラー走行片９ｂの一部から分岐した分岐レール部１１〜１３とが形成され、一方の直進用ローラー走行片９ａと他方の直進用ローラー走行片９ｂとで直進レール部９が構成され、上ランナー２１〜２３が直進レール部９に沿って走行することで引戸１が直進移動できるようになり、上ランナー２１〜２３が分岐レール部１１〜１３に進入することで引戸１が前後に曲進移動できるようになっており、前記上レール副体５１には、他方の直進用ローラー走行片９ｂを挟んで一方の直進用ローラー走行片９ａとは反対側の位置で上下方向Ｎに開放された躯体取付部７４と、躯体取付部７４から上レール本体５０側に向かって突出する上方突出片７６とが設けられ、前記上レール本体５０には上方突出片７６の先端を受ける受け部７７が設けられ、上レール副体５１の上方突出片７６の先端で上レール本体５０の受け部７７を下方から受け止めた状態で上レール副体５１の躯体取付部７４を取付ねじ７８で躯体７３にねじ止めしてなることを特徴としている。
【０００９】
このような構成とすることで、上レール副体５１の躯体取付部７４を取付ねじ７８で躯体７３にねじ止めすることにより、取付ねじ７８による一度のねじ止め作業だけで上レール本体５０と上レール副体５１とを一体にして躯体７３にねじ固定できるようになる。従って、従来のように上レール副体５１と上レール本体５０とを組立ねじ７９で組み立てる必要がなくなり、ねじの数及びねじ止め箇所をそれぞれ削減できると共に、従来のように上レール副体５１と上レール本体５０とのねじ穴加工も不要となる。また上レール副体５１の躯体取付部７４は上下方向Ｎに開放されているためにねじ止め作業がしやすく、これにより従来のようにレール溝７２から取付ねじ７８を挿入して奥の方で上レール本体５０と躯体７３とをねじ止めする作業を行なう場合と比較して、作業性が格段に向上することとなり、そのうえ、取付ねじ７８や工具によって上レール５に傷を付けてしまう心配もなくなる。
【００１０】
また、前記直進レール部９と分岐レール部１１〜１３との分岐位置に、上ランナー２１〜２３に付設した補助ローラー２５ａ，２５ｂを直進レール部９又は分岐レール部１１〜１３のいずれか一方にガイドするためのガイド部材１８を配置すると共に、このガイド部材１８を上レール副体５１に一体に取り付けるのが好ましく、この場合、工場で上レール副体５１にガイド部材１８を一体に取り付けておくことが可能となり、現場でのガイド部材１８の取り付け作業を省略できる。
【００１１】
また、前記上レール副体５１の底面の一部に躯体７３側に向かって凹んだ凹部７１を設け、この凹部７１に躯体取付部７４を設けるのが好ましく、この場合、躯体取付部７４に挿入される取付ねじ７８の頭部７８ａを凹部７１に納めることができるので、取付ねじ７８の頭部７８ａが外部から目立ち難くなり、外観上の見栄えが一層良くなる。
【００１２】
また、前記上レール副体５１の上方突出片７６を前後方向Ａ，Ｂに間隔をあけて複数設けると共に隣り合う上方突出片７６の間に上下方向Ｎに開放された躯体取付部７４を配設し、上レール本体５０に複数の上方突出片７６を個別に受けるための複数の受け部７７を設け、躯体取付部７４側から挿入される取付ねじ７８を隣り合う２つの上方突出片７６の間を通して躯体７３にねじ込むようにするのが好ましく、この場合、上レール本体５０の複数の受け部７７で上レール副体５１の複数の上方突出片７６の先端が個別に受けられるので、上レール本体５０を下方から上方突出片７６にて支える支持箇所が増えて、上レール副体５１による上レール本体５０の支持強度が高められると共に、躯体取付部７４を挟んでその両側に上方突出片７６と受け部７７とが配置されることで、取付ねじ７８の締め付け力が上方突出片７６及び受け部７７を介して上レール本体５０に分散されることになり、躯体取付部７４に大きな締め付け力が集中するのを防止でき、躯体取付部７４の凹みや変形が発生するのを防止できるようになる。
【発明の効果】
【００１３】
本発明に係る引戸装置は、取付ねじによる一度のねじ止め作業で上レール本体と上レール副体とを一体にして躯体にねじ固定できることにより、従来と比較してねじ穴加工・ねじ止め作業に要するコストを大幅に低減できるものであり、さらに、上レール副体の躯体取付部は上下方向に開放されているため、従来のように狭いレール溝からねじ止めする場合と比較してねじ止めが容易でしかも上レールの見え掛かり部分に傷を付けてしまうことも防止できるものである。
【発明を実施するための最良の形態】
【００１４】
以下、本発明を添付図面に示す実施形態に基いて説明する。
【００１５】
本発明の引戸装置は、図５乃至図１０に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、図５（ａ）、図６（ａ）、図７に示すように閉じた状態で前記３枚の引戸１が一列に並ぶだけでなく３枚全体が面一となるように配置されるようになっていて、例えばクローゼットの扉として用いた場合、３枚の引戸１が段差無く面一に連続した一連の壁としての外観を呈することができるようになっており、見栄えが良好となる。
【００１６】
なお、以下の説明では、面一となるように３枚の引戸１を閉じた場合、図６に示すように正面（室内Ｘ）から見て右側に位置する方の引戸１を一方引戸１ａ、左側に位置する引戸１を他方引戸１ｂと定義して説明する。以下の説明で右側とは全閉状態で正面から見て一方引戸１ａが位置する方、左側とは全閉状態で他方引戸１ｂが位置する方を指す。なお、図５は上レール５部分を下方から見た下面図であるので、図６に示す平面図とは室内Ｘか見て左右が逆となるように作図している。また、図７は収納空間Ｙから見た斜視図であり、したがって、面一となるように３枚の引戸１を閉じた場合、作図上一方引戸１ａが左側、他方引戸１ｂが右側に位置するように作図している。同様に、図８乃至図１０においても正面から見た場合と左右が逆に作図している。
【００１７】
前記３枚の引戸１は、他方引戸１ｂ側から一方引戸１ａ側に移動して開く際には該他方引戸１ｂを一方引戸１ａの前方Ａ（室内Ｘ側）に誘導し且つ中央引戸１ｃを一方引戸１ａの後方Ｂ（収納空間Ｙ側）に誘導し、且つ、一方引戸１ａ側から他方引戸１ｂ側に移動して開く際には該一方引戸１ａを他方引戸１ｂの前方Ａ（室内Ｘ側）に誘導し且つ中央引戸１ｃを他方引戸１ｂの後方Ｂ（収納空間Ｙ側）に誘導するための誘導機構１９と、他方引戸１ｂ側の操作力を中央引戸１ｃに伝達して中央引戸１ｃを他方引戸１ｂに追従して開閉させ、且つ、一方引戸１ａ側の操作力を中央引戸１ｃに伝達して中央引戸１ｃを一方引戸１ａに追従して開閉させるための連動機構１５とを備えている。
【００１８】
先ず、誘導機構１９について説明する。
【００１９】
誘導機構１９は、引戸１の上部に各々取り付けられる上ランナー２１〜２３と、引戸１の下部に各々取り付けられる下ローラー２７と、上ランナー２１〜２３、下ローラー２７を走行自在にガイドする戸枠４に設けた上下レール５、６とで構成してある。
【００２０】
戸枠４は３枚の引戸１を開閉自在に取付けるための開口部に取付けられる矩形状の枠体であり、上下レール５、６と左右縦枠４ａとで構成してある。図７乃至図１０には上レール５を省略した状態が示してあり、図１１、図１２は上レール５を下から見た分解斜視図、下面図が示してある。
【００２１】
上ランナー２１〜２３は図１３乃至図１６に示すようにそれぞれ引戸１の後面の上端部の左右方向の両端部に逆Ｌ字状をした逆Ｌ型金具２８を介して取付けてあり、上ランナー２１〜２３は引戸１の上端部の後方に位置しており、上ランナー２１〜２３を後述の上レール５に走行自在に取付けた場合、上ランナー２１〜２３による上レール５の走行自在に支持部分よりも前方にずれて引戸１が吊り下げされることになる。
【００２２】
上レール５は、図３、図４に示すように、躯体に固定される上レール本体５０と、上レール副体５１とで構成してある。実施形態では上レール副体５１はレール長手方向の左右及び中間部に配置されて上レール本体５０にねじ止めされる直進部レールカバー５１ａと、左右の直進部レールカバー５１ａの外側端部に配置されて直進部レールカバー５１ａにねじ止めされ、また、隣合う直進部レールカバー５１ａ間に配置されて直進部レールカバー５１ａ又は後述の上レール本体５０に固定されるガイド部材１８にねじ止めされる板状をした曲進部レールカバー５１ｂとで構成してある。
【００２３】
上レール本体５０に上レール副体５１を取付けて構成した上レール５には、図１２（ｂ）に示すように、上レール５のレール長手方向Ｍと直交する前後方向Ａ，Ｂに並んで、溝状の共用レール部７と溝状の中央引戸用レール部８とが並設されている。共用レール部７は、一方及び他方引戸１ａ、１ｂ（すなわち正面から見て右側の引戸１ａ、左側の引戸１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００２４】
前記共用レール部７は、上レール５のレール長手方向Ｍと平行に延びた一方の直進用ローラー走行片９ａと他方の直進用ローラー走行片９ａとからなる前側直進レール部９と、前側直進レール部９のレール長手方向Ｍの両端側からそれぞれ後方Ｂに向って略Ｌ字状に屈曲した左右２個の外側曲進レール部１１と、前側直進レール部９のレール長手方向Ｍの両端側よりも内側に寄った２箇所からそれぞれ分岐して後方Ｂに向って略Ｌ字状に屈曲した左右２個の内側曲進レール部１２とを備えている。前記左右２個の外側曲進レール部１１と左右２個の内側曲進レール部１２の各先端部に前側直進レール部９と平行な端部直線レール部１４を連出してある。これら曲進レール部１１，１２と、後述する湾曲レール部１３とで分岐レール部が構成されている。
【００２５】
また、前記中央引戸用レール部８は、前側直進レール部９に平行な一方の直進用ローラー走行片１０ａと他方の直進用ローラー走行片１０ｂとからなる後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。
【００２６】
これら２本のレール部（共用レール部７、中央引戸用レール部８）で３枚引戸１をガイドすることで、上レール５全体の見込み寸法Ｋ（図１９）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００２７】
前記共用レール部７に設けた左右２個の外側曲進レール部１１の後端部に連出した端部直線レール部１４と、左右２個の内側曲進レール部１２の後端部に連出した端部直線レール部１４と、中央引戸用レール部８における左右２個の湾曲レール部１３の前端部とは、前側直進レール部９、後側直進レール部１０と平行な仮想直線上に位置している。また、左側の外側曲進レール部１１の後端部に連出した端部直線レール部１４の先端部と左側の内側曲進レール部１２の後端部に連出した端部直線レール部１４の先端部との間の距離は左側の引戸１（つまり他方引戸１ｂ）の左右の上ランナー２２間の距離に等しく、また、右側の外側曲進レール部１１の後端部に連出した端部直線レール部１４と右側の内側曲進レール部１２の後端部に連出した端部直線レール部１４の先端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２８】
ここで、閉状態では、図５（ａ）に示す他方引戸１ｂの各上ランナー２２が左側に位置する外側曲進レール部１１と内側曲進レール部１２の各後端部から連出した端部直線レール部１４にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部から連出した端部直線レール部１４にそれぞれ入り込むことで、各引戸１が上レール５のレール長手方向Ｍと平行な同一平面となるように（つまり、３枚の引戸１が面一に連続するように）並置される。
【００２９】
一方、図１７の左開き状態では、図５（ｃ）のように一方引戸１ａの各上ランナー２１が右側に位置する外側曲進レール部１１と内側曲進レール部１２の各後端部から連出した端部直線レール部１４にそれぞれ入り込み、中央引戸１ｃの左右の上ランナー２３が後側直進レール部１０に移動し（この場合左側の上ランナー２３が後側直進レール部１０の右側の端部に移動する）、且つ他方引戸１ｂの各上ランナー２２が前側直進レール部９の右側にそれぞれ移動することで、手前から順に他方引戸１ｂと一方引戸１ａと中央引戸１ｃとが重ねて並置される。
【００３０】
また、図１８の右開き状態では、他方引戸１ｂの各上ランナー２２が左側に位置する外側曲進レール部１１及び内側曲進レール部１２の各後端部から連出した端部直線レール部１４にそれぞれ入り込み、中央引戸１ｃの左右の上ランナー２３がそれぞれ後側直進レール部１０に移動し（この場合左側の上ランナー２３が後側直進レール部１０の左側の端部に移動する）、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００３１】
これら左開き状態と右開き状態とは任意に選択できるようになっている。つまり、誘導機構１９は、他方引戸１ｂと中央引戸１ｃと一方引戸１ａとを前後に重ねた状態で、中央引戸１ｃを一方引戸１ａと重ならない位置に移動して一方引戸１ａと面一となるように誘導し、且つ他方引戸１ｂを一方引戸１ａ及び中央引戸１ｃとは重ならない位置に移動して中央引戸１ｃと面一となるように誘導する機能も兼ねている。
【００３２】
一方、各引戸１の上面の左右両側にはそれぞれ上ランナー２１（又は上ランナー２２、又は上ランナー２３）が設けてある。この上ランナー２１〜２３は、図１３乃至図１６に示すように、一対のローラー２６を備えたローラーブロック２４と、ローラーブロック２４の上面から上方に突出する複数個の補助ローラー２５ａ（又は補助ローラー２５ｂ）とで構成されている。この補助ローラー２５ａ（又は補助ローラー２５ｂ）は図１９に示すガイド部材１８により曲進又は直進のいずれかに案内されるようになっている。このガイド部材１８は、直進レール部９と分岐レール部１１〜１３との分岐位置に配置されて、上ランナー２１〜２３に付設した補助ローラー２５ａ，２５ｂを直進レール部９又は分岐レール部１１〜１３のいずれか一方にガイドするためのものであり、本実施形態ではガイド部材１８は工場にて上レール副体５１に対してネジで一体に取り付けられるものである。
【００３３】
ここで、図１３乃至図１６、図１９に示すように、一方引戸１ａ及び他方引戸１ｂの正面（室内Ｘ）から見て各右側端部に設けられた上ランナー２１（又は上ランナー２２）の上面の後方側にずれた位置及び前側にずれた位置にそれぞれ高さの低い４個の補助ローラー２５ａ（後方向にずれた位置に進行方向に２個、前方向にずれた位置に進行方向に２個、合計４個）が上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラー２５ｂが上方に向けて突設してあり、また、中央引戸１ｃの右側端部に設けられた上ランナー２３の上面の後方側にずれた位置に高さの高い２個の補助ローラー２５ｂにより構成される２連補助ローラー２５ｂが上方に向けて突設してあり、また、中央引戸１ｃの左側端部に設けられた上ランナー２３の上面の前方側にずれた位置及び後方向がずれた位置に高さの低い４個の補助ローラー２５ａ（後方向にずれた位置に進行方向に２個、前方向にずれた位置に進行方向に２個、合計４個）が上方に向けて突設してある。
【００３４】
ガイド部材１８は、上レール本体５０の下面部にねじ止めにより取付けられるもので、図１２に示す外側曲進レール部１１、内側曲進レール部１２、湾曲レール部１３の各分岐点に設けられた下方に開口した補助レールブロック１８ａ〜１８ｆ（図１１に拡大斜視図が示してある）で構成されている。図１２において、補助レールブロック１８ａは右側の外側曲進レール部１１に対応した位置に配置してあって上レール本体５０の下面部に取付けてあり、補助レールブロック１８ｂは右側の内側曲進レール部１２に対応した位置に配置してあって上レール本体５０の下面部に取付けてあり、また、補助レールブロック１８ｃは左側の外側曲進レール部１１に対応した位置に配置してあって上レール本体５０の下面部に取付けてあり、補助レールブロック１８ｄは左側の内側曲進レール部１２に対応した位置に配置してあって上レール本体５０の下面部に取付けてあり、また、補助レールブロック１８ｅは右側の湾曲レール部１３に対応した位置に配置してあって上レール本体５０の下面部に取付けてあり、補助レールブロック１８ｆは左側の湾曲レール部１３に対応した位置に配置してあって上レール本体５０の下面部に取付けてある。
【００３５】
前記補助レールブロック１８ａは高さの低い補助ローラー２５ａをガイドするためのもので、図１１（ａ）に示すように、右側の外側曲進レール部１１の後側に沿った下方に開口した溝状の曲進ガイドレール部１８ａ１を有している。該曲進ガイドレール部１８ａ１の一端部の開口から一方引戸１ａの右側端部に設けた上ランナー２１の上面に設けた４個の高さの低い補助ローラー２５ａのうち後方向にずれた位置の２個の補助ローラー２５ａが挿入されることで、一方引戸１ａの上ランナー２１を右側の外側曲進レール部１１に沿って導入するようになっている。この場合、上ランナー２１の上面に設けた４個の高さの低い補助ローラー２５ａのうち前方向にずれた位置の２個の補助ローラー２５ａは補助レールブロック１８ａの下面部の前記曲進ガイドレール部１８ａ１の下端よりも上方に凹んだ段落ち部１８ａ２の下方を通過するように構成してある。
【００３６】
また、補助レールブロック１８ｂは、高さの低い前後４個の補助ローラー２５ａが直進するようにガイドすると共に高さの高い２個の補助ローラー２５ｂが曲進するようにガイドするためのもので、図１１（ｂ）に示すように、下方に開口した溝状の前後２列の直線ガイドレール部１８ｂ１、１８ｂ２と、下方に開口した溝状の曲進ガイドレール部１８ｂ３とが設けてある。前の直線ガイドレール部１８ｂ１の左側半部が曲進ガイドレール部１８ｂ３の左側半部を兼用しており、更に、曲進ガイドレール部１８ｂ３の平面視で傾斜した中間部が後の直線ガイドレール部１８ｂ２を横切っており、曲進ガイドレール部１８ｂ３の中間部及び右側半部が右側の内側曲進レール部１２の前側に沿うように配設してある。
【００３７】
ここで、図１１（ｂ）に示すように、直線ガイドレール部１８ｂ１、１８ｂ２と、曲進ガイドレール部１８ｂ３とは下端の位置が同じ高さ位置であるが、曲進ガイドレール部１８ｂ３は高さの高い補助ローラー２５ｂをガイドすることができるように溝深さが深い（上方への凹み深さが深い）ものであり、前の直線ガイドレール部１８ｂ１の左側半部は曲進ガイドレール部１８ｂ３の左側半部を兼用しているので溝深さが深いが右側半部は溝深さが浅い（上方への凹み深さが浅い）ものである。また、後の直線ガイドレール部１８ｂ２は曲進ガイドレール部１８ｂ３の中間部が横切っている部分は溝深さが深く、他の部分は溝深さが浅いものであり、これら溝深さの浅い部分の溝底（上底）は高さの高い補助ローラー２５ｂの上端よりも下位置となるように設定してある。したがって、図２１（ｂ）のように曲進ガイドレール部１８ｂ３の前半部を兼用する前の直線ガイドレール部１８ｂ１の左側半部に入った高さの高い補助ローラー２５ｂは直線ガイドレール部１８ｂ１の右側半部側には移動できず曲進ガイドレール部１８ｂ３の中間部に向かい、更に該中間部を通過する際、後の直線ガイドレール部１８ｂ２側にも移動できず、スムーズに後半部にガイドされる。また、図２１（ａ）に示すように、前の直進ガイドレール部１８ｂ１は一方引戸１ａ及び他方引戸１ｂの各右側端部に取付けた上ランナー２１の上面に設けた４個の高さの低い補助ローラー２５ａのうち前側の２個の高さの低い補助ローラー２５ａが直進するようにガイドするようになっており、後の直進ガイドレール部１８ｂ２は一方引戸１ａ及び他方引戸１ｂの各右側端部に取付けた上ランナー２１の上面に設けた４個の高さの低い補助ローラー２５ａのうち後側の２個の高さの低い補助ローラー２５ａが直進するようにガイドするようになっている。
【００３８】
ところで、一方引戸１ａ、他方引戸１ｂの各右側端部に取付けた上ランナー２１の上面に設けた４個の高さの低い補助ローラー２５ａは前後左右の４個の補助ローラー２５ａが曲進ガイドレール部１８ｂ３を同時に横切らないようになっており、どれかの高さの低い補助ローラー２５ａが曲進ガイドレール部１８ｂ３との交差部分を横切る際に少なくとも前後１個ずつの補助ローラー２５ａが前の直線ガイドレール部１８ｂ１、後の直線ガイドレール部１８ｂ２内に位置していて前記交差部分を通過する際に首振りすることなく直進するように構成してある。
【００３９】
また、補助レールブロック１８ｃは高さの高い補助ローラー２５ｂをガイドするためのもので、図１１（ｆ）に示すように、左側の外側曲進レール部１１の前側に沿った下方に開口した溝深さが深い（上方への凹み深さが深い）溝状の曲進ガイドレール部１８ｃ１を有している。該曲進ガイドレール部１８ｃ１の一端部の開口から他方引戸１ｂの左側端部に取付けた上ランナー２２の上面の前側に片寄って設けた２個の高さの高い補助ローラー２５ｂが挿入されることで、他方引戸１ｂの上ランナー２２を左側の外側曲進レール部１１に沿って導入するようになっている。
【００４０】
また、補助レールブロック１８ｄは、高さの高い前側に片寄った２個の補助ローラー２５ｂが直進するようにガイドすると共に高さの低い前後４個の補助ローラー２５ａが曲進するようにガイドするためのもので、図１１（ｅ）に示すように、両端部及び下方に開口した溝状の直線ガイドレール部１８ｄ１を前側に設けると共に、一端が開口し且つ下方に開口した溝状の曲進ガイドレール部１８ｄ２を後側に設けてあり、曲進ガイドレール部１８ｄ２は左側の内側曲進レール部１２の後側に沿うように配設してある。
【００４１】
ここで、図１１（ｅ）に示すように、曲進ガイドレール部１８ｄ２は直線ガイドレール部１８ｄ１の下端よりも下方に突出して形成してあり、曲進ガイドレール部１８ｄ２の下端は高さの低い補助ローラー２５ａの上端よりも上方に位置している。図２１（ｂ）のように、直線ガイドレール部１８ｄ１には他方引戸１ｂ及び一方引戸１ａの各左側端部に取付けた上ランナー２１、２２の上面の前側に片寄って設けた高さの高い補助ローラー２５ｂが挿入されることになって他方引戸１ｂ及び一方引戸１ａの各左側端部に取付けた上ランナー２１、２２を直線走行させるようにガイドするようになっている。また、図２１（ａ）のように、曲進ガイドレール部１８ｄ２には他方引戸１ｂの右側端部に取付けた上ランナー２２の上面の後側に片寄って設けた２個の高さの低い補助ローラー２５ｂが挿入されることで、他方引戸１ｂの上ランナー２２を左側の内側曲進レール部１２に沿って導入するようになっており、この場合、他方引戸１ｂの右側端部に取付けた上ランナー２２の上面の前側に片寄って設けた２個の高さの低い補助ローラー２５ｂは補助レールブロック１８ｄの下面部の前記曲進ガイドレール部１８ｄ２の下端よりも上方に凹んだ段落ち部１８ｄ３の下方を通過するように構成してある。なお、直線ガイドレール部１８ｄ１の下端は前記段落ち部１８ｄ３の上底に開口しているため高さの低い補助ローラー２５ａが直線ガイドレール部１８ｄ１内に入り込むことはない。
【００４２】
また、補助レールブロック１８ｅは、中央引戸１ｃの右側に取付けた上ランナー２３の上面に設けた高さの低い前後４個の補助ローラー２５ａが直進するようにガイドすると共に左側に取付けた上ランナー２３の上面に設けた高さの高い２個の補助ローラー２５ｂが曲進するようにガイドするためのもので、図１１（ｃ）に示すように、両端及び下方に開口した溝状の前後２列の直線ガイドレール部１８ｅ１、１８ｅ２と、円弧状をした両端及び下方に開口した溝状の曲進ガイドレール部１８ｅ３とが設けてある。後の直線ガイドレール部１８ｅ２は左側部、右側部がそれぞれ曲進ガイドレール部１８ｅ３の左側部、右側部を兼用しており、更に、曲進ガイドレール部１８ｅ３の円弧状をした中間部の両端部の平面視で傾斜した部分がそれぞれ前の直線ガイドレール部１８ｅ２を横切っており、曲進ガイドレール部１８ｅ３の中間部が湾曲レール部１３の前側に沿うように配設してある。
【００４３】
ここで、図１１（ｃ）のように、直線ガイドレール部１８ｅ１、１８ｅ２と、曲進ガイドレール部１８ｅ３とは下端の位置が同じ高さ位置であるが、曲進ガイドレール部１８ｅ３は高さの高い補助ローラー２５ｂをガイドすることができるように溝深さが深い（上方への凹み深さが深い）ものであり、後の直線ガイドレール部１８ｅ１の右側部及び左側部は曲進ガイドレール部１８ｅ３の右側部及び左側部を兼用しているので溝深さが深いが直線ガイドレール部１８ｅ１の中間部は溝深さが浅い（上方への凹み深さが浅い）ものである。また、前の直線ガイドレール部１８ｅ２は曲進ガイドレール部１８ｅ３の中間部の両端部が横切っている部分は溝深さが深く、他の部分は溝深さが浅いものであり、これら溝深さの浅い部分の溝底（上底）は高さの高い補助ローラー２５ｂの上端よりも下位置となるように設定してある。したがって、図２１（ｄ）のように、曲進ガイドレール部１８ｅ３の前側部及び後側部を兼用する後の直線ガイドレール部１８ｅ１の左側部又は右側部に入った高さの高い補助ローラー２５ｂは直線ガイドレール部１８ｅ１の中間部には移動できず曲進ガイドレール部１８ｅ３の中間部に向かう。この場合、更に該中間部を通過する際、前の直線ガイドレール部１８ｅ２側にも移動できず、スムーズに中間部にガイドされる。また、図２１（ｃ）のように、後の直線ガイドレール部１８ｅ１は中央引戸１ｃの右側端部に取付けた上ランナー２３の上面に設けた４個の高さの低い補助ローラー２５ａのうち後側の２個の高さの低い補助ローラー２５ａが直進するようにガイドするようになっており、前の直線ガイドレール部１８ｅ２は中央引戸１ｃの右側端部に取付けた上ランナー２１の上面に設けた４個の高さの低い補助ローラー２５ａのうち前側の２個の高さの低い補助ローラー２５ａが直進するようにガイドするようになっている。
【００４４】
ところで、中央引戸１ｃの右側端部に取付けた上ランナー２１の上面に設けた４個の高さの低い補助ローラー２５ａは前後左右の４個の補助ローラー２５ａが曲進ガイドレール部１８ｅ３を同時に横切らないようになっており、どれかの高さの低い補助ローラー２５ａが曲進ガイドレール部１８ｅ３との交差部分を横切る際に少なくとも前後１個ずつの補助ローラー２５ａが前の直線ガイドレール部１８ｅ２、後の直線ガイドレール部１８ｅ１内に位置していて前記交差部分を通過する際に首振りすることなく直進するように構成してある。
【００４５】
また、補助レールブロック１８ｆは、中央引戸１ｃの左側に取付けた上ランナー２３の上面に設けた高さの高い後側に片寄った２個の補助ローラー２５ｂが直進するようにガイドすると共に右側に取付けた上ランナー２３の上面に設けた高さの低い前後４個の補助ローラー２５ａが曲進するようにガイドするためのもので、図１１（ｄ）に示すように、両端部及び下方に開口した溝状の直線ガイドレール部１８ｆ１を後側に設けると共に、両端が開口し且つ下方に開口した円弧状をした溝状の曲進ガイドレール部１８ｆ２を前側に設けてあり、直線ガイドレール部１８ｆ１が後側直進レール部１０の後側に沿って配設してあると共に、曲進ガイドレール部１８ｄ２が左側の湾曲レール部１３の前側に沿って配設してある。
【００４６】
ここで、曲進ガイドレール部１８ｆ２は直線ガイドレール部１８ｆ１の下端よりも下方に突出して形成してあり、曲進ガイドレール部１８ｆ２の下端は高さの低い補助ローラー２５ａの上端よりも上方に位置している。図２０（ｄ）に示すように、直線ガイドレール部１８ｆ１には中央引戸１ｃの左側端部に取付けた上ランナー２３の上面の後側に片寄って設けた高さの高い補助ローラー２５ｂが挿入されることになって中央引戸１ｃの右側端部に取付けた上ランナー２３を直線走行させるようにガイドするようになっている。また、図２０（ｃ）に示すように、曲進ガイドレール部１８ｆ２には中央引戸１ｃの右側端部に取付けた上ランナー２２の上面の前側に片寄って設けた２個の高さの低い補助ローラー２５ｂが挿入されることで、中央引戸１ｃの右側に取付けた上ランナー２３を右側の湾曲レール部１３に沿って導入するようになっており、この場合、中央引戸１ｃの右側端部に取付けた上ランナー２２の上面の後側に片寄って設けた２個の高さの低い補助ローラー２５ｂは補助レールブロック１８ｆの下面部の前記曲進ガイドレール部１８ｄ２の下端よりも上方に凹んだ段落ち部１８ｆ３の下方を通過するように構成してある。なお、直線ガイドレール部１８ｆ１の下端は前記段落ち部１８ｆ３の上底に開口しているため高さの低い補助ローラー２５ａが直線ガイドレール部１８ｆ１内に入り込むことはない。
【００４７】
次に連動機構１５を説明する。
【００４８】
本例の一方引戸１ａ、他方引戸１ｂ、中央引戸１ｃは、厚み、幅、高さの寸法が略同じものを用いており、各引戸１ａ〜１ｃは各々木製の引戸本体３０の両側縁に長尺なアルミニウム製の中空筒状の縦縁材３１を取付けて構成してある。縦縁材３１の上端面にはエンドキャップ３３が設けてある。
【００４９】
一方引戸１ａの右側の縦縁材３１、他方引戸１ｂの左側の縦縁材３１は前面中央を後方に凹ませて指掛部３２ｇを形成している。また一方引戸１ａの左側の縦縁材３１、他方引戸１ｂの右側の縦縁材３１は、縦縁材３１の前部に後部よりも外側方に突出した指掛部３２ｇを形成している。また中央引戸１ｃの左右両側の縦縁材３１は外側半部の前面に引戸本体３０の前面よりも後方に凹む凹段部３２ｅを形成してあり、３枚の引戸１ａ〜１ｃを面一に閉じた状態においては、一方引戸１ａ及び他方引戸１ｂの縦縁材３１の指掛部３２ｇが凹段部３２ｅに配されて中央引戸１ｃの縦縁材３１の外側端部の前方に位置して重複するようになっている。そして前記各引戸１ａ〜１ｃの各縦縁材３１は指掛部３２ｇや凹段部３２ｅに手指を掛ける等して引戸１ａ〜１ｃを開閉できるようになっており、把手を兼ねている。
【００５０】
ここで図１３乃至図１５に示すように中央引戸１ｃの左右両端部の夫々の上端面には前後に長い係合溝３３ｃを形成している。また一方引戸１ａの右側端部及び他方引戸１ｂの左側端部（即ち一方引戸１ａ及び他方引戸の夫々の閉じ方向側の端部）の上端からは係合溝３３ｃに係合可能な係合部材３５を後方に向けて突出している。そしてこれら係合溝３３ｃと係合部材３５によって連動機構１５が構成されている。
【００５１】
一方引戸１ａの係合部材３５と他方引戸１ｂの係合部材３５は左右対称であり、各係合部材３５は縦片状の引戸取付部３５ａの上端から横片状の横片部３５ｂを後方に突出した断面Ｌ字状の金具からなるアングル３５ｃを備え、横片部３５ｂに係合突部３５ｄを突設して構成してある。アングル３５ｃは引戸取付部３５ａを一方引戸１ａ及び他方引戸１ｂの夫々の上端部の後面にねじのような固着具３４ｂで固着することで取付けられている。
【００５２】
アングル３５ｃを一方引戸１ａ及び他方引戸１ｂに取付けるにあたって、一方引戸１ａの右側端部の上端部の後面及び他方引戸１ｂの左側端部の上端部の後面には凹部３２ｆを形成している。各凹部３２ｆは縦縁材３１の上端部の後面に形成した凹部３２ｆからなる。凹部３２ｆの底面は縦縁材３１の後面よりも引戸取付部３５ａの厚み寸法以上前方に位置している。アングル３５ｃは引戸取付部３５ａを凹部３２ｆの底面に当てた状態で取付けてあり、これによりアングル３５ｃの引戸取付部３５ａは凹部３２ｆ内に完全に収まるように収納されている。
【００５３】
一方引戸１ａのアングル３５ｃの横片部３５ｂの後端部は左側方に突出し、また他方引戸１ｂのアングル３５ｃの横片部３５ｂの後端部は右側方に突出しており、各突出部分には前記係合溝３３ｃに係合しつつ係合溝３３ｃに沿って移動自在となる係合突部３５ｄを下方に向けて突設している。係合突部３５ｄは横片部３５ｂに上下軸回りに回転自在に軸支したローラーで構成されている。係合突部３５ｄを構成するローラーはゴム等の軟質材料で形成してあり、これにより係合溝３３ｃに係合した連動時の衝撃を緩和でき、またこの連動時の生じる音を小さくできるようにしている。
【００５４】
中央引戸１ｃの右側に形成した一方引戸１ａ用の係合溝３３ｃと左側に形成した他方引戸１ｂ用の係合溝３３ｃは左右対称であり、各係合溝３３ｃは中央引戸１ｃの各縦縁材３１のエンドキャップ３３の上面に形成している。つまり本例ではエンドキャップ３３を前記係合部材３５の係合突部３５ｄが係合する受け部材としている。
【００５５】
各係合溝３３ｃは平面視で略Ｌ字状の溝からなり、左右方向と平行な溝状で一端が外側方（つまり右側の係合溝３３ｃにあっては右側方であり、左側の係合溝３３ｃにあっては左側方）に開口する突部挿入口３３ｄと、突部挿入口３３ｄの他端から前側に伸びるガイド溝部３３ｅとで構成されている。ガイド溝部３３ｅは前後方向と平行な直線状の溝であり、その前後方向の長さは中央引戸１ｃの引戸本体３０の厚み寸法よりも長くなっている。ここで各係合溝３３ｃのガイド溝部３３ｅの内側の側面（つまり右側の係合溝３３ｃにあっては左側の側面であり、左側の係合溝３３ｃにあっては右側の側面）を押側ガイド面３３ｆとし、且つ外側の側面（つまり右側の係合溝３３ｃにあっては右側の側面であり、左側の係合溝３３ｃにあっては左側の側面）を引側ガイド面３３ｇとすると、押側ガイド面３３ｆ及び引側ガイド面３３ｇは共に前後方向と平行な縦面となっている。
【００５６】
次に動作を説明する。
【００５７】
例えば図１３（図５（ａ）、図６（ａ）、図７）に示す３枚の引戸１ａ〜１ｃを面一にして閉じた状態から図１４、図１５、図１６と順に他方引戸１ｂを一方引戸１ａ側に向かって移動して他方引戸１ｂを中央引戸１ｃの前方側に重なるようにすると、他方引戸１ｂの上面の左側端部から後方に突出した位置に設けた係合突部３５ｄが、図２２のように中央引戸１ｃの上面の左側端部に設けた係合溝３３ｃの後端部の中央引戸１ｃから後方に突出した位置にある突部挿入口３３ｄに近接対向し、この状態で更に他方引戸１ｂを移動すると図２３のように他方引戸１ｂと中央引戸１ｃとが概ね重なる段階で係合突部３５ｄが突部挿入口３３ｄから係合溝３３ｃの後端部内に挿入されて係合溝３３ｃの押側ガイド面３３ｆの後端部（突部挿入口３３ｄに対向する部分）に当たって係合し、他方引戸１ｂの係合突部３５ｄで係合溝３３ｃの押側ガイド面３３ｆを押して他方引戸１ｂの移動に連動して中央引戸１ｃを右側に移動させながら係合突部３５ｄが係合溝３３ｃの前端側に移動し、図２４のように他方引戸１ｂと中央引戸１ｃとが前後方向に離反する段階で、係合突部３５ｄは係合溝３３ｃの押側ガイド面３３ｆの前端部に当たって係合した状態で停止する。これにより中央引戸１ｃは前記他方引戸１ｂと中央引戸１ｃとが概ね重なる段階から３枚の引戸１ａ〜１ｃを右側に寄せた全開状態となるまでは他方引戸１ｂと連動して一方引戸１ａ側に移動する。
【００５８】
また逆に図１６に示す３枚の引戸１ａ〜１ｃを右側に寄せた全開状態から図１５、図１４、図１３と順に他方引戸１ｂを閉じる方向に移動する時、他方引戸１ｂの係合突部３５ｄは、中央引戸１ｃが中央の閉じ位置に移動する直前の段階まで図２４のように係合溝３３ｃの引側ガイド面３３ｇの後端部に当たって係合した状態となり、この後、他方引戸１ｂと中央引戸１ｃとが前後方向に接近し始める段階で係合溝３３ｃの引側ガイド面３３ｇに当たって係合しつつ係合溝３３ｃの前端側に移動し、この後、図２３のように中央引戸１ｃが閉じ位置に完全に移動した段階（他方引戸１ｂと中央引戸１ｃの前後方向の接近が終了した段階）で係合溝３３ｃの前端部に至る。これにより中央引戸１ｃは右側に寄せた全開状態からその閉じ位置である中央に移動するまでは他方引戸１ｂと連動する。そしてこの中央引戸１ｃが閉じ位置に完全に移動した段階に達すると、図２２のように係合突部３５ｄは係合溝３３ｃの前端部に至って引側ガイド面３３ｇへの当たりがなくなって係合が解除され、突部挿入口３３ｄから外側方に向かって移動する。これにより他方引戸１ｂは単独で閉位置まで移動することとなる。
【００５９】
なお、各引戸１の下端部の中央の１箇所には下ローラー２７が突設されている。下ローラー２７はＬ形部材６０を介して引戸１〜３の各下端部の中央位置に取り付けられている。下ローラー２７をガイドする下レール６には、図６乃至図１０に示すように、共用レール部１０１のレール長手方向Ｍの両端側から後方Ｂに向って傾斜した左右の曲進レール部４２，４３がそれぞれ設けられ、曲進レール部４２、４３の端部から共用レール部１０１と平行な下端部直線レール部４５が連設してある。共用レール部１０１と平行で後側に位置する中央引戸用レール部１０２の中央部から前方Ａに向って半円形状に湾曲した１つの湾曲レール部４４が設けられている。下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００６０】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に連設した下端部直線レール部４５に位置し、中央の引戸１ｃの下ローラー２７が湾曲レール部４４の前端部に位置し、他方引戸１ｂの下ローラー２７が左側の曲進レール部４２の後端部に連設した下端部直線レール部４５に位置する。図１６（ｃ）の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。また、図１７（ｃ）の右開きの場合、他方引戸１ｂの下ローラー２７が左側の曲進レール部４２の後端部に連設した下端部直線レール部４５に位置し、一方引戸１ａの下ローラー２７が共用レール部１０１の直線部分の右端に位置し、中央の引戸１ｃの下ローラー２７が中央引戸用レール部１０２の直線部分の左端に位置する。
【００６１】
前記例において下端部直線レール部４５を設けることで前述の上レールに端部直線レール部１４を設けたのと同じ作用効果を奏し、一方引戸１ａ、他方引戸１ｂが全閉状態でいずれも前後方向において正規の位置になって段差が生じないようにでき、また、開いた状態でも、正常な位置に確実に位置させることができ、全開状態で一方引戸１ａ又は他方引戸１ｂが正規の位置よりも前側にずれていて他方引戸１ｂ又は一方引戸１ａが閉じる際に衝突したり、擦れたりせず、スムーズに正常な位置に確実に位置させて閉じることができるようになっている。
【００６２】
次に本発明の特徴を説明すると、上レール５は、図３に示すように、押出成形材からなる上レール本体５０と、上レール本体５０の下面側に配置される上レール副体５１とに分割されていると共に、上レール副体５１は、直進部レールカバー５１ａと、曲進部レールカバー５１ｂとで構成されている。
【００６３】
前記直進部レールカバー５１ａの前後の中央位置は、図１に示すように、上下方向Ｎに開放された水平板状の躯体取付部７４となっている。本例では、上レール副体５１の底面の中央部に躯体７３側に向かって凹んだ凹部７１を形成し、凹部７１に上下方向Ｎに開放されたねじ穴７５を穿設することで躯体取付部７４を構成している。
【００６４】
また、躯体取付部７４の前後の両サイドからは、上方に向かってそれぞれ一対の上方突出片７６，７６が立設されている。一対の上方突出片７６，７６は、直進レール部９とは干渉しない位置、図１に示す例では、上レール本体５０の一対のガイド壁７０の内側に沿って立設されている。また従来のような上レール副体５０の中央上方部５１ｃ（図２８）は省略され、上方突出片７６，７６間は上方に開口した形状となっている。また、上レール本体５０の中央上方部８２には、ねじ穴７５と対応する位置にねじ穴７５よりも大きな遊通穴８３が形成されている。さらに、上レール本体５０の中央上方部８２には、前記一対の上方突出片７６，７６の先端を個別に受ける一対の受け部７７，７７が設けられており、各上方突出片７６の先端を各受け部７７で受け止めることで、上レール本体５０が上レール副体５１によって下方から支持された状態となり、この状態で図１（ｂ）のように取付ねじ７８を一対の上方突出片７６の間のねじ穴７５に挿入して、遊通穴８３を介して躯体７３にねじ止めできるようになっている。
【００６５】
次に施工手順の一例を説明する。
【００６６】
工場では、図３、図４に示すように、直進部レールカバー５１ａと、曲進部レールカバー５１ｂとをねじで一体に連結して、上レール副体５１を組み立てる。さらに、曲進部レールカバー５１ｂに形成されている分岐レール部１１〜１３に上ランナー２１〜２３を嵌め込む。さらにガイド部材１８を上レール副体５１に対してねじで一体に連結しておく。この上レール副体５１を、上レール本体５０と一緒に現場に搬入する。
【００６７】
現場では、図１（ｂ）に示すように、上レール副体５１の躯体取付部７４から立設する一対の上方突出片７６の先端を上レール本体５０の２箇所の受け部７７に各々あてがい、上レール本体５０の上面を躯体７３の下面に押し当てた状態で、上レール副体５１の下方から取付ねじ７８を躯体取付部７４のねじ穴７５を通して躯体７３にねじ込む。これにより、上レール副体５１の上方突出片７６の先端が上レール本体５０の受け部７７を下方から受け止めた状態で上レール副体５１が躯体７３にねじ固定されることとなり、躯体７３への上レール５の取り付けが完了する。
【００６８】
しかして、取付ねじ７８による一度のねじ止め作業だけで上レール本体５０と上レール副体５１とを一体にして躯体７３にねじ固定できる。従って、従来のように、予め上レール副体５１と上レール本体５０とを組立ねじ７９で組み立てる必要がなくなり、ねじの数及びねじ止め箇所をそれぞれ削減できると共に、従来のように上レール副体５１と上レール本体５０とのねじ穴加工も不要となり、コストを大幅に低減できる。
【００６９】
また、上レール副体５１の躯体取付部７４は上下方向Ｎに開放されているため、従来のように狭いレール溝７２から取付ねじ７８を挿入して奥の方で上レール本体５０と躯体７３とをねじ止めする作業を行なう場合と比較して、ねじ止めの作業性が格段に向上することとなり、そのうえ、取付ねじ７８や工具によって上レール５に傷を付けてしまう心配もなくなり、上レール５の外観を良好に保つことができる。さらに取付ねじ７８が挿入される躯体取付部７４は凹部７１となっているので、取付ねじ７８の頭部７８ａを凹部７１に納めることができ、従って、取付ねじ７８の頭部７８ａが外部から目立ち難くなり、外観上の見栄えが一層良くなるものである。
【００７０】
また、ガイド部材１８によってガイドされる補助ローラー２５ａ，２５ｂを備えた上ランナー２１〜２３をレール溝７２に挿入する場合において、上ランナー２１〜２３の挿入の向き・位置を間違えると、補助ローラー２５ａ，２５ｂには方向性があるため、本来の引戸１の動きを実現できなくなる。殊に現場で上ランナー２１〜２３の挿入の向き・位置を間違えるとなると、上レール副体５１を取り外すのに手間がかかる。そこで、工場の組立段階で補助ローラー２５ａ，２５ｂ付き上ランナー２１〜２３を所定の向き・位置に挿入すると共にガイド部材１８を予め上レール副体５１に組み付けておくことにより、製品品質を向上させることができると同時に、現場での組み立て効率を大幅に改善できるようになる。
【００７１】
また本例では、上レール本体５０の２箇所の受け部７７で上レール副体５１の一対の上方突出片７６の先端を個別に受けることができるので、上レール本体５０を下方から上方突出片７６にて支える支持箇所が増えて、上レール副体５１による上レール本体５０の支持強度が高められる。しかも、躯体取付部７４となるねじ穴７５を挟んでその両側に上方突出片７６が配置されるようになるので、取付ねじ７８の締め付け力が上方突出片７６及び受け部７７を介して上レール本体５０に分散されることとなり、躯体取付部７４に大きな締め付け力が集中するのを防止でき、これにより躯体取付部７４の凹みや変形の発生を防止できるようになる。
【００７２】
図２は本発明の他の実施形態であり、図１の実施形態において一対の上方突出片７６，７６間に、さらに別の１つの補強用上方突出片７６´を立設すると共に、上レール本体５０に補強用上方突出片７６´を受けるための受け部７７´を設けたものである。他の構成は図１の実施形態と同様であり、対応する部分には同一符号を付しておく。本例では取付ねじ７８の締め付け力が上方突出片７６，７６に分散されるだけでなく、補強用上方突出片７６´にも分散されるようになり、結果、上方突出片７６，７６，７６´の３箇所から上レール本体５０に分散されることで、躯体取付部７４に大きな締め付け力が集中するのをより一層防止でき、躯体取付部７４の凹みや変形が発生するのを確実に防止できる利点がある。
【００７３】
なお、本発明に係る引戸装置は、クローゼットの扉以外に各種の開閉扉の分野にも広く適用できるものである。
【図面の簡単な説明】
【００７４】
【図１】（ａ）は本発明の上レール本体と上レール副体とを組み合わせた状態を示す側面図、（ｂ）は（ａ）の上レール本体と上レール副体とを取付ねじを用いて躯体に取り付けた状態を示す側面断面図である。
【図２】（ａ）は本発明の他の実施形態の上レール本体と上レール副体とを組み合わせた状態を示す側面図、（ｂ）は（ａ）の上レール本体と上レール副体とを取付ねじを用いて躯体に取り付けた状態を示す側面断面図である。
【図３】同上の上レールの下方から見た分解斜視図である。
【図４】同上の上レールの下方から見た斜視図である。
【図５】同上の引戸装置の開閉動作を示し、（ａ）は３枚の引戸を面一に閉じた状態を示す上レール部分を下から見た概略下面図であり、（ｂ）は開閉途中の状態を示す上レール部分を下から見た概略下面図であり、（ｃ）は３枚の引戸を前後に重ねた全開状態を示す上レール部分を下から見た概略下面図である。
【図６】同上の引戸装置の開閉動作を示し、（ａ）は３枚の引戸を面一に閉じた状態を示す概略平断面図であり、（ｂ）は開閉途中の状態を示す概略平断面図であり、（ｃ）は３枚の引戸を前後に重ねた全開状態を示す概略平断面図である。
【図７】同上の引戸装置の全閉状態の上レールを省略した後方から見た斜視図である。
【図８】同上の引戸装置の開閉途中の状態の上レールを省略した後方から見た斜視図である。
【図９】同上の引戸装置の更に開閉途中の状態の上レールを省略した後方から見た斜視図である。
【図１０】同上の引戸装置の３枚の引戸を前後に重ねた全開状態の上レールを省略した後方から見た斜視図である。
【図１１】（ａ）（ｂ）（ｃ）（ｄ）（ｅ）（ｆ）はそれぞれ補助レールブロック１８ａ〜１８ｆの下方から見た拡大斜視図である。
【図１２】（ａ）は上レールの下方から見た下面図であり、（ｂ）は曲進部レールカバーを省略した状態の上レールの下から見た下面図であり、（ｃ）は３枚の引戸の全閉状態の上レール部分を下方から見た斜視図である。
【図１３】同上の図７の一部破断した拡大斜視図である。
【図１４】同上の図８の一部破断した拡大斜視図である。
【図１５】同上の図９の一部破断した拡大斜視図である。
【図１６】同上の図１０の一部破断した拡大斜視図である。
【図１７】（ａ）（ｂ）（ｃ）は同上の左開きの操作順序を示す説明図である。
【図１８】（ａ）（ｂ）（ｃ）は同上の右開きの操作順序を示す説明図である。
【図１９】同上の上レールにおける補助レールブロックの位置と、３枚の引戸に設けた上ランナー、補助ローラーの位置関係を示す説明図である。
【図２０】同上の補助レールブロック１８ｂ、補助レールブロック１８ｅと高さの低い補助ローラー及び高い補助ローラーとの関係を示す説明図のための下方から見た下面図である。
【図２１】（ａ）は図２０のＥ−Ｅ線における高さの低い補助ローラーと補助レールブロック１８ｂの関係を示す説明図であり、（ｂ）は図２０のＥ−Ｅ線における高さの高い補助ローラーと補助レールブロック１８ｂの関係を示す説明図であり、（ｃ）は図２０のＦ−Ｆ線における高さの低い補助ローラーと補助レールブロック１８ｅの関係を示す説明図であり、（ｄ）は図２０のＦ−Ｆ線における高さの高い補助ローラーと補助レールブロック１８ｅの関係を示す説明図である。
【図２２】同上の補助レールブロック１８ｄ、補助レールブロック１８ｆと高さの低い補助ローラー及び高い補助ローラーとの関係を示す説明図のための下方から見た下面図である。
【図２３】（ａ）は図２２のＧ−Ｇ線における高さの低い補助ローラーと補助レールブロック１８ｄの関係を示す説明図であり、（ｂ）は図２２のＧ−Ｇ線における高さの高い補助ローラーと補助レールブロック１８ｂの関係を示す説明図であり、（ｃ）は図２２のＨ−Ｈ線における高さの低い補助ローラーと補助レールブロック１８ｆの関係を示す説明図であり、（ｄ）は図２２のＨ−Ｈ線における高さの高い補助ローラーと補助レールブロック１８ｆの関係を示す説明図である。
【図２４】同上の連動機構の開操作時における係合突部が係合溝に導入される直前の状態を示し、（ａ）は平面図であり、（ｂ）は斜視図である。
【図２５】同上の連動機構の開操作時における係合突部が係合溝の突部挿入口に導入された状態を示し、（ａ）は平面図であり、（ｂ）は斜視図である。
【図２６】同上の連動機構の開操作時における係合突部が係合溝の前端部に導入された状態を示し、（ａ）は平面図であり、（ｂ）は斜視図である。
【図２７】従来例の上レールの分解斜視図である。
【図２８】従来例の上レールの取り付け作業の説明図である。
【符号の説明】
【００７５】
１  引戸
５  上レール
９  直進レール部
９ａ  一方の直進用ローラー走行片
９ｂ  他方の直進用ローラー走行片
１１〜１３  分岐レール部
１８  ガイド部材
２１〜２３  上ランナー
２５ａ，２５ｂ  補助ローラー
３４  ローラー
５０  上レール本体
５１  上レール副体
７１  凹部
７２  レール溝
７３  躯体
７４  躯体取付部
７６  上方突出片
７７  受け部
７８  取付ねじ
Ａ  前方
Ｂ  後方
Ｎ  上下方向
【図１】
2007315108.tif 000003
【図２】
2007315108.tif 000004
【図３】
2007315108.tif 000005
【図４】
2007315108.tif 000006
【図５】
2007315108.tif 000007
【図６】
2007315108.tif 000008
【図７】
2007315108.tif 000009
【図８】
2007315108.tif 000010
【図９】
2007315108.tif 000011
【図１０】
2007315108.tif 000012
【図１１】
2007315108.tif 000013
【図１２】
2007315108.tif 000014
【図１３】
2007315108.tif 000015
【図１４】
2007315108.tif 000016
【図１５】
2007315108.tif 000017
【図１６】
2007315108.tif 000018
【図１７】
2007315108.tif 000019
【図１８】
2007315108.tif 000020
【図１９】
2007315108.tif 000021
【図２０】
2007315108.tif 000022
【図２１】
2007315108.tif 000023
【図２２】
2007315108.tif 000024
【図２３】
2007315108.tif 000025
【図２４】
2007315108.tif 000026
【図２５】
2007315108.tif 000027
【図２６】
2007315108.tif 000028
【図２７】
2007315108.tif 000029
【図２８】
2007315108.tif 000030